(57)【要約】サンプリング用光パルスに対して、少なくとも、アナログ信号で強度変調することにより、サンプリング用光パルスがアナログ信号で強度変調され、かつ、スペクトル軸方向に強度が平坦なスペクトルを有する第１光パルスを生成する第１整形部（２０）と、サンプリング用光パルスに対して、スペクトル整形をすることにより、スペクトル軸方向に強度が単調増加又は単調減少するスペクトルを有する第２光パルスを生成する第２整形部（３０）と、第１光パルスと第２光パルスとの位相差が所定の位相差となるように、第１整形部（２０）又は第２整形部（３０）に入力された光パルスの位相をシフトする位相シフト器（２６）と、第１光パルスと第２光パルスとを干渉させる干渉器（１２）と、干渉器（１２）から出力された光パルスを複数の波長帯に分波する波長分波器（１４）とを備える。
2016140048.tif 000002
【特許請求の範囲】
【請求項１】
入力されたアナログ信号を、サンプリング用光パルスを用いてディジタル信号に変換する光Ａ／Ｄ変換器のための光量子化器であって、
前記サンプリング用光パルスに対して、少なくとも、前記アナログ信号で強度変調することにより、前記サンプリング用光パルスが前記アナログ信号で強度変調され、かつ、スペクトル軸方向に強度が平坦なスペクトルを有する第１光パルスを生成する第１整形部と、
前記サンプリング用光パルスに対して、スペクトル整形をすることにより、スペクトル軸方向に強度が単調増加又は単調減少するスペクトルを有する第２光パルスを生成する第２整形部と、
前記第１整形部又は前記第２整形部に備えられ、前記第１光パルスと前記第２光パルスとの位相差が所定の位相差となるように、前記第１整形部又は前記第２整形部に入力された光パルスの位相をシフトする位相シフト器と、
前記第１光パルスと前記第２光パルスとを干渉させる干渉器と、
前記干渉器から出力された光パルスを複数の波長帯に分波する波長分波器と
を備える光量子化器。
【請求項２】
前記第１整形部は、さらに、前記強度変調で得られた光パルスに対してスペクトル整形をすることにより、前記第１光パルスを生成する
請求項１記載の光量子化器。
【請求項３】
入力されたアナログ信号を、サンプリング用光パルスを用いてディジタル信号に変換する光Ａ／Ｄ変換器のための光量子化器であって、
前記サンプリング用光パルスに対して、少なくとも、前記アナログ信号で強度変調することにより、前記サンプリング用光パルスが前記アナログ信号で強度変調され、かつ、空間軸方向に強度が平坦な空間強度分布を有する第１光パルスを生成する第１整形部と、
前記サンプリング用光パルスに対して、空間強度分布の整形をすることにより、前記空間軸方向に強度が単調増加又は単調減少する空間強度分布を有する第２光パルスを生成する第２整形部と、
前記第１整形部又は前記第２整形部に備えられ、前記第１光パルスと前記第２光パルスとの位相差が所定の位相差となるように、前記第１整形部又は前記第２整形部に入力された光パルスの位相をシフトする位相シフト器と、
前記第１光パルスと前記第２光パルスとを干渉させる干渉器と、
前記干渉器から出力された光パルスに対して、前記空間軸方向に分割された複数の分割空間のそれぞれでの強度を検出する光検出器と
を備える光量子化器。
【請求項４】
前記第１整形部は、さらに、前記強度変調で得られた光パルスに対して、空間強度分布の整形をすることにより、前記第１光パルスを生成する
請求項３記載の光量子化器。
【請求項５】
前記所定の位相差は、略１８０度である
請求項１〜４のいずれか１項に記載の光量子化器。
【発明の詳細な説明】
【技術分野】
【０００１】
本発明は、光量子化器に関し、特に、入力されたアナログ信号を、サンプリング用光パルスを用いてディジタル信号に変換する光Ａ／Ｄ変換器のための光量子化器に関する。
【背景技術】
【０００２】
従来のＡ／Ｄ変換技術では、アナログ信号をディジタル信号に変換するための主要な処理（サンプリング、量子化、符号化）を電気的に実現している。実世界のアナログ信号は、ほとんどの場合ディジタル技術を用いて処理されているため、アナログ信号をディジタル信号に変換するＡ／Ｄ変換技術はあらゆる分野において必要不可欠の技術となっている。特に、数十ＧＨｚを超える超広帯域なアナログ信号を扱うようなリモートセンシング（レーダー観測、天文観測など）の分野だけでなく、１００Ｇｂｐｓ（Ｇｉｇａ-ｂｉｔ  ｐｅｒ  ｓｅｃ）を超える超広帯域光通信などの情報通信分野においてはますます重要となってきており、より高性能なＡ／Ｄ変換器が求められている。【０００３】
現在の電気的なＡ／Ｄ変換器は、最高で１００Ｇｓｐｓ（Ｇｉｇａ-ｓａｍｐｌｅ  ｐｅｒ  ｓｅｃ）程度の性能を実現しているものもあるが、１０Ｇｓｐｓ程度のものを複数個、組み合わせた構成となっている。これらの性能は、基本構成要素である１０ＧｓｐｓのＡ／Ｄ変換器の性能に依存しており、技術レベルとしては、既に完成度が高く、これ以上の超広帯域化は、消費電力やサンプリングの時間ジッタの問題により難しくなっているのが現状である。【０００４】
これらの課題を解決するために、最近、Ａ／Ｄ変換器の光化が検討されている（非特許文献１、２参照）。これら非特許文献１、２では、Ａ／Ｄ変換器における量子化器の光化（光量子化器）として、自己周波数シフトなどの非線形光学効果を利用する方法、あるいは、複数の光アクティブデバイスの並列利用による方法などが紹介されている。
【先行技術文献】
【非特許文献】
【０００５】
【非特許文献１】ＤＳＡ８３００型サンプリング・オシロスコープ用８０Ｃ００シリーズ光サンプリング・モジュール・データ・シート、［online］、最終更新日：２０１４−０９−１６  ０７：００：００、ＴＥＫＴＲＯＮＩＸ，ＩＮＣ．、［２０１５年２月１日検索］、インターネット＜URL：http://jp.tek.com/datasheet/default-accessory-series-2＞
【非特許文献２】Ｇ．Ｃ．Ｖａｌｌｅｙ，“Ｐｈｏｔｏｎｉｃ  ａｎａｌｏｇ−ｔｏ−ｄｉｇｉｔａｌ  ｃｏｎｖｅｒｔｅｒｓ．”  Ｏｐｔｉｃｓ  Ｅｘｐｒｅｓｓ  １５．５  １９５５−１９８２  （２００７）
【発明の概要】
【発明が解決しようとする課題】
【０００６】
しかしながら、従来の光量子化器では、消費電力の低減に限界がある。つまり、自己周波数シフトなどの非線形光学効果を利用する方法では、そのような非線形光学効果を生じさせるだけの大きな消費電力が必要とされる。また、複数の光アクティブデバイス又は電子デバイス（電気的なＡＤＣなど）の並列利用による方法では、複数の光アクティブデバイス又は電子デバイスを動作させるだけの大きな消費電力が必要とされる。【０００７】
そこで、本発明は、上記課題に鑑みてなされたものであり、低消費電力化を可能にする光量子化器を提供することを目的とする。
【課題を解決するための手段】
【０００８】
上記目的を達成するために、本発明の一形態に係る光量子化器は、入力されたアナログ信号を、サンプリング用光パルスを用いてディジタル信号に変換する光Ａ／Ｄ変換器のための光量子化器であって、前記サンプリング用光パルスに対して、少なくとも、前記アナログ信号で強度変調することにより、前記サンプリング用光パルスが前記アナログ信号で強度変調され、かつ、スペクトル軸方向に強度が平坦なスペクトルを有する第１光パルスを生成する第１整形部と、前記サンプリング用光パルスに対して、スペクトル整形をすることにより、スペクトル軸方向に強度が単調増加又は単調減少するスペクトルを有する第２光パルスを生成する第２整形部と、前記第１整形部又は前記第２整形部に備えられ、前記第１光パルスと前記第２光パルスとの位相差が所定の位相差となるように、前記第１整形部又は前記第２整形部に入力された光パルスの位相をシフトする位相シフト器と、前記第１光パルスと前記第２光パルスとを干渉させる干渉器と、前記干渉器から出力された光パルスを複数の波長帯に分波する波長分波器とを備える。【０００９】
これによれば、サンプリング用光パルスがＡ／Ｄ変換の入力であるアナログ信号で強度変調され、かつ、スペクトル軸方向に強度が平坦なスペクトルを有する第１光パルスと、スペクトル軸方向に強度が単調増加又は単調減少するスペクトルを有する第２光パルスとが、所定の位相差（例えば、１８０度）をもった状態で干渉され、複数の波長帯に分波される。【００１０】
第１光パルスと第２光パルスとは、所定の位相差（例えば、１８０度）が設けられているので、第１光パルスの強度と第２光パルスの強度とが同じになる波長帯において、干渉後の光パルスの強度が最小（例えば、ゼロ）となるので、複数の波長帯に分波された光パルスのうち、強度が最も小さい光パルスが出力される波長帯を特定することで、その波長帯に対応する第２光パルスの強度、つまり、第１光パルスの強度を特定でき、特定した第１光パルスの強度から、第１整形部における強度変調の特性を考慮することで、入力されたアナログ信号の強度を特定することができる。つまり、複数の波長帯に分波された光パルスのうち、最も強度が小さい光パルスが出力される波長帯がどれであるかという位置情報（複数の波長帯のうちの一つを示すディジタル値）は、入力されたアナログ信号の強度に依存して決定されることになり、スペクトル領域を利用したＡ／Ｄ変換が行われる。【００１１】
このような光量子化では、大きな電力を必要とする非線形光学効果を用いることなく、小さな電力で実現できる線形現象（干渉）が用いられる。また、光アクティブデバイス及び電子デバイスなどの電力を要するデバイスを用いることなく、波長分波器などの光学デバイスで実現され得る。よって、低消費電力化を可能にする光量子化器が実現される。【００１２】
ここで、前記第１整形部は、さらに、前記強度変調で得られた光パルスに対してスペクトル整形をすることにより、前記第１光パルスを生成してもよい。【００１３】
これにより、第１整形部において、スペクトル軸方向に強度が平坦なスペクトルを有する第１光パルスを生成するためのスペクトル整形が行われるので、サンプリング用光パルスが、スペクトル軸方向に強度が平坦なスペクトルを有する光パルスでなくても、第１整形部から、スペクトル軸方向に強度が平坦なスペクトルを有する第１光パルスが生成され、Ａ／Ｄ変換が行われ得る。【００１４】
また、上記目的を達成するために、本発明の一形態に係る光量子化器は、入力されたアナログ信号を、サンプリング用光パルスを用いてディジタル信号に変換する光Ａ／Ｄ変換器のための光量子化器であって、前記サンプリング用光パルスに対して、少なくとも、前記アナログ信号で強度変調することにより、前記サンプリング用光パルスが前記アナログ信号で強度変調され、かつ、空間軸方向に強度が平坦な空間強度分布を有する第１光パルスを生成する第１整形部と、前記サンプリング用光パルスに対して、空間強度分布の整形をすることにより、前記空間軸方向に強度が単調増加又は単調減少する空間強度分布を有する第２光パルスを生成する第２整形部と、前記第１整形部又は前記第２整形部に備えられ、前記第１光パルスと前記第２光パルスとの位相差が所定の位相差となるように、前記第１整形部又は前記第２整形部に入力された光パルスの位相をシフトする位相シフト器と、前記第１光パルスと前記第２光パルスとを干渉させる干渉器と、前記干渉器から出力された光パルスに対して、前記空間軸方向に分割された複数の分割空間のそれぞれでの強度を検出する光検出器とを備える。【００１５】
これによれば、サンプリング用光パルスがＡ／Ｄ変換の入力であるアナログ信号で強度変調され、かつ、空間軸（例えば、水平方向を示すＸ軸）方向に強度が平坦な空間強度分布を有する第１光パルスと、空間軸方向に強度が単調増加又は単調減少する空間強度分布を有する第２光パルスとが、所定の位相差（例えば、１８０度）をもった状態で干渉され、干渉後の光パルスについて、空間軸方向に分割された複数の分割空間のそれぞれでの強度が検出される。【００１６】
第１光パルスと第２光パルスとは、所定の位相差（例えば、１８０度）が設けられているので、第１光パルスの強度と第２光パルスの強度とが同じになる空間位置において、干渉後の光パルスの強度が最小（例えば、ゼロ）となるので、複数の分割空間に分割された光パルスのうち、強度が最も小さい光パルスが出力される分割空間を特定することで、その分割空間に対応する第２光パルスの強度、つまり、第１光パルスの強度を特定でき、特定した第１光パルスの強度から、第１整形部における強度変調の特性を考慮することで、入力されたアナログ信号の強度を特定することができる。つまり、複数の分割空間に分割された光パルスのうち、最も強度が小さい光パルスが出力される分割空間がどれであるかという位置情報（複数の分割空間のうちの一つを示すディジタル値）は、入力されたアナログ信号の強度に依存して決定されることになり、空間領域を利用したＡ／Ｄ変換が行われる。【００１７】
このような光量子化では、大きな電力を必要とする非線形光学効果を用いることなく、小さな電力で実現できる線形現象（干渉）が用いられる。また、空間強度分布の整形については、光アクティブデバイス及び電子デバイスなどの電力を要するデバイスを用いることなく、光学フィルタなどの光学デバイスで実現され得る。よって、低消費電力化を可能にする光量子化器が実現される。【００１８】
ここで、前記第１整形部は、さらに、前記強度変調で得られた光パルスに対して、空間強度分布の整形をすることにより、前記第１光パルスを生成してもよい。【００１９】
これにより、第１整形部において、空間軸方向に強度が平坦な空間強度分布を有する第１光パルスを生成するための空間整形が行われるので、サンプリング用光パルスが、空間軸方向に強度が平坦な空間強度分布を有する光パルスでなくても、第１整形部から、空間軸方向に強度が平坦な空間強度分布を有する第１光パルスが生成され、Ａ／Ｄ変換が行われ得る。【００２０】
なお、前記所定の位相差は、略１８０度であってもよい。【００２１】
これにより、第１光パルスと第２光パルスとは、１８０度の位相差となるので、第１光パルスと第２光パルスとの干渉によって弱め合う度合が最大となり、波長分波器又は光検出器による位置情報の特定が容易となり、位置情報の精度が向上される。
【発明の効果】
【００２２】
本発明により、低消費電力化を可能にする光量子化器が実現される。【００２３】
つまり、本発明は、従来の電気的なＡＤ変換器の限界を解決する光量子化の光化に対して、非線形デバイスや光アクティブデバイスを高性能化することなく、光量子化を実現している。これにより、従来の光量子化器に比べ、容易に１０倍以上の低消費電力化が実現される。また、光アクティブデバイスの並列利用が必要ないためにコストを低く抑えることができるので、大きな経済的効果も発揮され得る。【００２４】
つまり、本発明では、非線形光学効果を用いることなく、線形な現象である干渉現象のみを用いている。この結果、従来の消費電力性能を決めていた非線形デバイス、光アクティブデバイス及び電子デバイスの高性能化及び並列化をすることなく、容易に低消費電力化を実現することができる。
【図面の簡単な説明】
【００２５】
【図１】図１は、本発明の実施の形態１における光量子化器の構成を示すブロック図である。
【図２】図２は、同光量子化器の動作を確認する実験結果を示す図である。
【図３】図３は、実施の形態１の変形例に係る光量子化器の構成を示すブロック図である。
【図４】図４は、発明の実施の形態２における光量子化器の構成を示すブロック図である。
【図５】図５は、実施の形態２の変形例に係る光量子化器の構成を示すブロック図である。
【図６】図６は、実施の形態１における波長分波器及び実施の形態２における光検出器の離散的出力特性を説明する図である。
【発明を実施するための形態】
【００２６】
以下、本発明の一態様に係る光量子化器について、図面を参照しながら具体的に説明する。なお、以下で説明する実施の形態は、いずれも本発明の一具体例を示すものである。以下の実施の形態で示される数値、材料、構成要素、構成要素の配置位置及び接続形態、処理順序などは、一例であり、本発明を限定する主旨ではない。また、以下の実施の形態における構成要素のうち、最上位概念を示す独立請求項に記載されていない構成要素については、任意の構成要素として説明される。
【００２７】
（実施の形態１）
まず、本発明の実施の形態１における光量子化器について説明する。
【００２８】
図１は、本発明の実施の形態１における光量子化器１０の構成を示すブロック図である。この光量子化器１０は、入力されたアナログ信号を、サンプリング用光パルスを用いてディジタル信号に変換する光Ａ／Ｄ変換器のための光量子化器であって、スペクトル領域を利用して低消費電力で光量子化を行う特徴を有する。光量子化器１０は、図示されるように、主要な構成要素として、第１整形部２０、第２整形部３０、干渉器１２、及び、波長分波器１４を備える。各構成要素は、光ファイバケーブル、光導波路、又は、空間等の伝送媒体によって接続されている。
【００２９】
なお、図１には、主要な信号経路に、概括的な信号の波形、スペクトル（図１の（ａ）〜（ｄ））、及び、強度分布特性（図１の（ｅ））が図示されている。
【００３０】
サンプリング用光パルスは、例えば、１００ＧＨｚの繰り返し周波数で入力される光パルス列であり、図１の（ａ）に示されるようなスペクトルを有し、光カプラなどで分岐されて第１整形部２０及び第２整形部３０に入力される。
【００３１】
第１整形部２０は、入力されたサンプリング用光パルスに対して、少なくとも、Ａ／Ｄ変換の入力信号であるアナログ信号で強度変調することにより、サンプリング用光パルスがアナログ信号で強度変調され、かつ、スペクトル軸方向に強度が平坦なスペクトルを有する第１光パルスを生成する処理部の一例であり、本実施の形態では、強度変調器２２、第１スペクトル整形器２４、及び、位相シフト器２６から構成される。
【００３２】
なお、「スペクトル軸方向に強度が平坦なスペクトル」とは、求められる波長帯（例えば、サンプリング用光パルスが有する波長帯）において、求められるＡ／Ｄ変換の精度（変換精度等）に応じて予め定められる範囲内の強度の平坦度を有するスペクトルをいい、必ずしも直線的に平坦な強度を有するスペクトルだけでなく、例えば、上記波長帯における強度（エネルギー）が中心強度（平均強度）から±６ｄＢの範囲内に収まっているスペクトルであってもよいし、より好ましくは、上記波長帯における強度（エネルギー）が中心強度（平均強度）から±３ｄＢの範囲内に収まっているスペクトルであってもよいし、更に好ましくは、上記波長帯における強度（エネルギー）が中心強度（平均強度）から±Ｅ％（Ｅは、３０、２０、又は１０等）の範囲内に収まっているスペクトルであってもよい。
【００３３】
強度変調器２２は、入力されたサンプリング用光パルスに対して、Ａ／Ｄ変換の入力となるアナログ信号で強度変調し、これによって、アナログ信号が重畳された光パルスを生成する変調器であり、例えば、マッハツェンダ型光強度変調器である。マッハツェンダ型光強度変調器は、電気信号により透過光強度を変化させる光変調器の一種であり、２つの光導波路に電圧を印加することによって光導波路中の光の位相を変化させ、再度合波して干渉させることで光の強度を変化させる装置である。
【００３４】
第１スペクトル整形器２４は、強度変調器２２から出力された光パルスに対して、スペクトル整形を施すことで、スペクトル軸方向に強度が平坦なスペクトルを有する光パルスに変換するスペクトル整形器であり、例えば、光分波器、分波後の各波長帯の光パルスに対して、平坦なスペクトルを得るための所定の透過率で透過させる光学フィルタ群、及び、光学フィルタ群を通過後の各光パルスを合波する光合波器などによって実現される。
【００３５】
位相シフト器２６は、第１整形部２０から出力される第１光パルスと第２整形部３０から出力される第２光パルスとの位相差が所定の位相差（ここでは、１８０度）となるように、第１スペクトル整形器２４から出力された光パルスの位相をシフトさせるものであり、例えば、第１スペクトル整形器２４から出力された光パルスの波長帯（より厳密には、波長帯の中心波長）における１８０度の位相に相当する長さの光ファイバケーブル又は光導波路である。
【００３６】
なお、位相シフト器２６は、第１整形部２０ではなく、第２整形部３０に設けられてもよい。つまり、位相シフト器２６は、第１整形部２０又は第２整形部３０に備えられ、第１整形部２０から出力される第１光パルスと第２整形部３０から出力される第２光パルスとの位相差が所定の位相差（ここでは、１８０度）となるように、第１整形部２０又は第２整形部３０に入力された光パルスの位相をシフトするものであれば、第１整形部２０及び第２整形部３０のいずれに設けられてもよい。
【００３７】
第２整形部３０は、入力されたサンプリング用光パルスに対して、スペクトル整形をすることにより、スペクトル軸方向に強度が単調増加又は単調減少するスペクトルを有する第２光パルスを生成する処理部の一例であり、第２スペクトル整形器３２で構成される。第２スペクトル整形器３２は、入力されたサンプリング用光パルスに対して、スペクトル整形をすることにより、スペクトル軸方向に強度が単調増加又は単調減少するスペクトルを有する第２光パルスを生成するスペクトル整形器であり、例えば、光分波器、分波後の各波長帯の光パルスに対して、単調増加又は単調減少するスペクトルを得るための所定の透過率で透過させる光学フィルタ群、及び、光学フィルタ群を通過後の各光パルスを合波する光合波器などによって実現される。
【００３８】
なお、スペクトル軸方向に強度が単調増加又は単調減少するスペクトルは、例えば、図１の（ｃ）に示されるように、サンプリング用光パルスが有していた波長帯において、Ａ／Ｄ変換の入力レンジにおける最大強度（例えば、１０Ｖ）と最小強度（例えば、０Ｖ）とを接続する単調増加又は単調減少する直線又は曲線状の強度を有するスペクトルである。ここで、本実施の形態における「単調増加（又は、単調減少）」とは、スペクトル軸方向に強度が完全に単調増加（又は、単調減少）することだけでなく、例えば、求められる波長帯（例えば、サンプリング用光パルスが有する波長帯）における強度（エネルギー）がスペクトルの近似直線（又は、近似曲線）から±６ｄＢの範囲内に収まっていることを意味してもよいし、より好ましくは、上記波長帯における強度（エネルギー）がスペクトルの近似直線（又は、近似曲線）から±３ｄＢの範囲内に収まっていることを意味してもよいし、更に好ましくは、上記波長帯における強度（エネルギー）がスペクトルの近似直線（又は、近似曲線）から±Ｅ％（Ｅは、３０、２０、又は１０等）の範囲内に収まっていることを意味してもよい。
【００３９】
干渉器１２は、第１整形部２０から出力される第１光パルスと第２整形部３０から出力される第２光パルスとを干渉させる光結合器であり、例えば、光カプラなどである。
【００４０】
波長分波器１４は、干渉器１２から出力された光パルスを複数の波長帯に分波する光分波器であり、例えば、１６個の出力ポートを有する（１６個の波長帯に分波する）アレイ導波回折格子（ＡＷＧ；Ａｒｒａｙｅｄ  Ｗａｖｅｇｕｉｄｅ  Ｇｒａｔｉｎｇ）などである。
【００４１】
次に、以上のように構成された本実施の形態における光量子化器１０の動作について説明する。
【００４２】
入力されたサンプリング用光パルスは、光カプラなどで分岐され、第１整形部２０を構成する強度変調器２２及び第２整形部３０を構成する第２スペクトル整形器３２に入力される。なお、本実施の形態では、サンプリング用光パルスを構成する個々の光パルスは、図１の（ａ）に示されるように、山形のスペクトルを有する。
【００４３】
強度変調器２２は、入力されたサンプリング用光パルスに対して、Ａ／Ｄ変換の入力となるアナログ信号で強度変調し、第１スペクトル整形器２４に出力する。
【００４４】
第１スペクトル整形器２４は、強度変調器２２から出力された光パルスに対して、スペクトル整形を施すことで、スペクトル軸方向に強度が平坦なスペクトルを有する光パルスに変換し、位相シフト器２６に出力する。
【００４５】
位相シフト器２６は、第１整形部２０から出力される第１光パルスと第２整形部３０から出力される第２光パルスとの位相差が所定の位相差（ここでは、１８０度）となるように、予め定められた位相だけ、第１スペクトル整形器２４から出力された光パルスの位相をシフトさせ、第１光パルスとして、干渉器１２に出力する。
【００４６】
このような第１整形部２０での処理により、位相シフト器２６から出力される光パルス、つまり、第１整形部２０から出力される第１光パルスは、図１の（ｂ）に示されるスペクトルを有する。つまり、第１光パルスは、サンプリング用光パルスが有していた波長帯において、入力されたアナログ信号の強度に対応する高さの平坦領域を有するスペクトルを有する。
【００４７】
一方、第２整形部３０では、第２スペクトル整形器３２は、入力されたサンプリング用光パルスに対して、スペクトル整形をすることにより、スペクトル軸方向に強度が単調増加又は単調減少するスペクトルを有する光パルスに変換し、第２光パルスとして、干渉器１２に出力する。その結果、第２整形部３０から出力される第２光パルスは、例えば、図１の（ｃ）に示されるようなスペクトルを有する。つまり、第２光パルスは、サンプリング用光パルスが有していた波長帯において、Ａ／Ｄ変換の入力レンジにおける最大強度と最小強度とを接続する単調減少する直線状の強度となるスペクトルを有する。
【００４８】
干渉器１２は、第１整形部２０から出力される第１光パルスと第２整形部３０から出力される第２光パルスとを干渉させ、波長分波器１４に出力する。ここで、第１光パルスと第２光パルスとは、所定の位相差（ここでは、１８０度）が設けられているので、第１光パルスの強度と第２光パルスの強度とが同じになる波長帯において、干渉後の光パルスの強度が最小（例えば、ゼロ）となる。よって、干渉器１２での干渉によって、図１の（ｂ）に示されるスペクトルを有する第１光パルスと、図１の（ｃ）に示されるスペクトルを有する第２光パルスとが合波され、図１の（ｄ）に示されるような凹型に湾曲した強度のスペクトルを有する光パルスに変換され、波長分波器１４に入力される。
【００４９】
波長分波器１４は、入力された光パルスを複数の波長帯に分波する。図１の（ｅ）の強度分布特性は、波長分波器１４から出力される光パルスの強度分布を示す。横軸は、波長帯（つまり、波長分波器１４の出力ポートの位置）を示し、縦軸は、波長帯ごとに出力される光パルスの強度を示す。波長分波器１４に入力された、図１の（ｄ）のスペクトルを有する光パルスは、波長帯ごとに分波され、図１の（ｅ）の強度分布特性に示される強度分布で、波長分波器１４の各出力ポートから出力される。
【００５０】
よって、波長分波器１４の各出力ポートから出力される光パルスの強度を検出する光検出器及び比較器などを用いて、強度が最も小さい光パルスが出力される出力ポート（つまり、波長帯）を特定することで、図１の（ｄ）に示されるスペクトルにおいて最小値となる波長帯が特定される。特定された波長帯は、所定の位相差（ここでは、１８０度）をもつ第１光パルスの強度と第２光パルスの強度とが同じになる波長帯であることから、その波長帯に対応する第２光パルスの強度、つまり、第１光パルスの強度を特定でき、特定した第１光パルスの強度から、第１整形部における強度変調の特性を考慮することで、入力されたアナログ信号の強度を特定することができる。
【００５１】
つまり、波長分波器１４によって複数の波長帯に分波された光パルスのうち、最も強度が小さい光パルスが出力される波長帯（つまり、出力ポート）がどれであるかという位置情報（例えば、１６個の波長帯（つまり、出力ポート）のうちの一つを示す４ビットのディジタル値）は、入力されたアナログ信号の強度に依存して決定されることになり、スペクトル領域を利用したＡ／Ｄ変換が行われる。
【００５２】
以上の光量子化器１０における動作は、入力されたサンプリング用光パルスを構成する個々の光パルスごとに繰り返される。例えば、１００ＧＨｚで繰り返される。これにより、例えば、１００Ｇｓｐｓで４ビットの出力分解能をもつ光量子化器１０が実現される。
【００５３】
このように、本実施の形態における光量子化器１０は、大きな電力を必要とする非線形光学効果を用いることなく、小さな電力で実現できる線形現象（干渉）を用いている。また、光アクティブデバイス及び電子デバイスなどの電力を要するデバイスを用いることなく、波長分波器１４などの光学デバイスで構成される。よって、本実施の形態における光量子化器１０は、非線形光学効果を利用した従来の光量子化器や、複数の光アクティブデバイス又は電子デバイスを並列化して構成される従来の光量子化器に比べ、低消費電力で動作する。
【００５４】
図２は、本実施の形態における光量子化器１０の動作を確認する実験結果を示す図である。図２の（ａ）は、第１整形部２０から出力された第１光パルスの波形（図２の（ａ１））、スペクトル（図２の（ａ２））、及び、図２の（ａ２）を拡大したスペクトル（図２の（ａ３））を示す。図２の（ｂ）は、第２整形部３０から出力された第２光パルスの波形（図２の（ｂ１））、スペクトル（図２の（ｂ２））、及び、図２の（ｂ２）を拡大したスペクトル（図２の（ｂ３））を示す。図２の（ｃ）は、干渉器１２から出力された干渉後の光パルスの波形（図２の（ｃ１））、スペクトル（図２の（ｃ２））、及び、図２の（ｃ２）を拡大したスペクトル（図２の（ｃ３））を示す。
【００５５】
図２の（ｃ３）に示されるスペクトルから分かるように、第１光パルスと第２光パルスとの干渉によって、第１光パルスの強度に相当する波長帯（ここでは、スペクトル軸の中央）で、強度が最小になっている。よって、強度が最小となる波長帯を波長分波器１４によって特定することで、第１光パルスの強度、つまり、入力されたアナログ信号の強度が特定される。
【００５６】
なお、本実施の形態では、第１整形部２０は、強度変調器２２、第１スペクトル整形器２４、及び、位相シフト器２６が、この順で直列に接続されて構成されたが、強度変調器２２、第１スペクトル整形器２４、及び、位相シフト器２６の接続順序は、この順に限定されず、いかなる接続順であってもよい。例えば、第１整形部２０は、位相シフト器２６、第１スペクトル整形器２４、及び、強度変調器２２が、この順で直列に接続されて構成されてもよい。
【００５７】
また、位相シフト器２６が、第１整形部２０内ではなく、第２整形部３０内に設けられる場合にも、第２整形部３０を構成する位相シフト器２６と第２スペクトル整形器３２とは、いずれが先（処理順で先）に接続されもよい。
【００５８】
また、本実施の形態では、第１整形部２０に、スペクトルを平坦化する第１スペクトル整形器２４が設けられたが、図３に示されるように、サンプリング用光パルスを構成する個々の光パルスが平坦なスペクトルを有する場合には、第１スペクトル整形器２４は不要となる。図３は、実施の形態１の変形例に係る光量子化器１１の構成を示すブロック図である。図１に示された光量子化器１０と同一の構成要素には、同一の符号が付されている。この変形例に係る光量子化器１１は、上記実施の形態における光量子化器１０に比べ、第１整形部２０に第１スペクトル整形器２４が設けられていない点だけが異なる。この光量子化器１１では、サンプリング用光パルスを構成する個々の光パルスは、図３の（ａ）に示されるように、スペクトル軸方向に強度が平坦なスペクトルを有する。よって、この変形例に係る光量子化器１１では、第１整形部２０に第１スペクトル整形器２４が備えられていないが、上記実施の形態と同様のスペクトルを有する第１光パルスが生成され、波長分波器１４からは上記実施の形態と同様の信号が出力され、上記実施の形態における光量子化器１０と同様の効果が奏される。
【００５９】
（実施の形態２）
次に、本発明の実施の形態２における光量子化器について説明する。
【００６０】
図４は、本発明の実施の形態２における光量子化器５０の構成を示すブロック図である。この光量子化器５０は、入力されたアナログ信号を、サンプリング用光パルスを用いてディジタル信号に変換する光Ａ／Ｄ変換器のための光量子化器であって、空間領域を利用して低消費電力で光量子化を行う特徴を有する。つまり、本実施の形態における光量子化器５０は、スペクトル領域を利用して光量子化を行った実施の形態１と異なり、空間領域を利用して光量子化を行う点に特徴を有する。この光量子化器５０は、図示されるように、主要な構成要素として、第１整形部６０、第２整形部７０、干渉器５２、及び、光検出器５４を備える。各構成要素は、光ファイバケーブル、光導波路、又は、空間等の伝送媒体によって接続されている。
【００６１】
なお、図４には、主要な信号経路に、概括的な信号の波形、空間強度分布（図４の（ａ）〜（ｄ））、及び、強度分布特性（図４の（ｅ））が図示されている。
【００６２】
サンプリング用光パルスは、例えば、１００ＧＨｚの繰り返し周波数で入力される光パルス列であり、図４の（ａ）に示されるような空間強度分布を有し、光カプラなどで分岐されて第１整形部６０及び第２整形部７０に入力される。
【００６３】
第１整形部６０は、入力されたサンプリング用光パルスに対して、少なくとも、Ａ／Ｄ変換の入力信号であるアナログ信号で強度変調することにより、サンプリング用光パルスがアナログ信号で強度変調され、かつ、空間軸方向に強度が平坦な空間強度分布を有する第１光パルスを生成する処理部の一例であり、本実施の形態では、強度変調器６２、第１空間整形器６４、及び、位相シフト器６６から構成される。
【００６４】
なお、「空間軸方向」とは、光パルスの進行方向に対して直交する面を構成する軸の方向であり、例えば、光パルスの進行方向に直交し、かつ、水平な方向（Ｘ軸）である。また、「空間軸方向に強度が平坦な空間強度分布」とは、求められる空間区間（例えば、サンプリング用光パルスが有していた空間軸の範囲）において、求められるＡ／Ｄ変換の精度（変換精度等）に応じて予め定められる範囲内の強度の平坦度を有する空間強度分布をいい、必ずしも直線的に平坦な強度を有する空間強度分布だけでなく、例えば、上記空間区間における強度（エネルギー）が中心強度（平均強度）から±６ｄＢの範囲内に収まっている空間強度分布であってもよいし、より好ましくは、上記空間区間における強度（エネルギー）が中心強度（平均強度）から±３ｄＢの範囲内に収まっている空間強度分布であってもよいし、更に好ましくは、上記空間区間における強度（エネルギー）が中心強度（平均強度）から±Ｅ％（Ｅは、３０、２０、又は１０等）の範囲内に収まっている空間強度分布であってもよい。
【００６５】
強度変調器６２は、入力されたサンプリング用光パルスに対して、Ａ／Ｄ変換の入力となるアナログ信号で強度変調し、これによって、アナログ信号が重畳された光パルスを生成する変調器であり、例えば、実施の形態１と同様のマッハツェンダ型光強度変調器である。
【００６６】
第１空間整形器６４は、強度変調器６２から出力された光パルスに対して、空間強度分布の整形を施すことで、空間軸方向に強度が平坦な空間強度分布を有する光パルスに変換する空間整形器であり、例えば、入力された光パルスの空間軸方向の強度分布に対応した（強度が大きいほど透過率を低くした）透過率のパターンを有する光学フィルタ、より具体的には、Ｘ軸方向に、そのような透過率のパターンに対応するグレースケールのパターンを印刷したガラスなどによって実現される。
【００６７】
位相シフト器６６は、第１整形部６０から出力される第１光パルスと第２整形部７０から出力される第２光パルスとの位相差が所定の位相差（ここでは、１８０度）となるように、第１空間整形器６４から出力された光パルスの位相をシフトさせるものであり、例えば、第１空間整形器６４から出力された光パルスの波長帯（より厳密には、波長帯の中心波長）における１８０度の位相に相当する長さの光ファイバケーブル又は光導波路である。
【００６８】
なお、位相シフト器６６は、第１整形部６０ではなく、第２整形部７０に設けられてもよい。つまり、位相シフト器６６は、第１整形部６０又は第２整形部７０に備えられ、第１整形部６０から出力される１光パルスと第２整形部７０から出力される第２光パルスとの位相差が所定の位相差（ここでは、１８０度）となるように、第１整形部６０又は第２整形部７０に入力された光パルスの位相をシフトするものであれば、第１整形部６０及び第２整形部７０のいずれに設けられてもよい。
【００６９】
第２整形部７０は、入力されたサンプリング用光パルスに対して、空間強度分布の整形をすることにより、空間軸方向に強度が単調増加又は単調減少する空間強度分布を有する第２光パルスを生成する処理部の一例であり、第２空間整形器７２で構成される。第２空間整形器７２は、入力されたサンプリング用光パルスに対して、空間強度分布の整形をすることにより、空間軸方向に強度が単調増加又は単調減少する空間強度分布を有する第２光パルスを生成する空間整形器であり、例えば、Ｘ軸方向に濃度が徐々に薄く（あるいは、濃く）なるグレースケールのパターンを印刷したガラスなどによって実現される。
【００７０】
なお、空間軸方向に強度が単調増加又は単調減少する空間強度分布は、例えば、図４の（ｃ）に示されるように、サンプリング用光パルスが有していた空間軸の範囲において、Ａ／Ｄ変換の入力レンジにおける最大強度（例えば、１０Ｖ）と最小強度（例えば、０Ｖ）とを接続する単調増加又は単調減少する直線又は曲線状の強度を有する空間強度分布である。ここで、本実施の形態における「単調増加（又は、単調減少）」とは、空間軸方向に強度が完全に単調増加（又は、単調減少）することだけでなく、例えば、求められる空間区間（例えば、サンプリング用光パルスが有していた空間軸の範囲）における強度（エネルギー）が空間強度分布の近似直線（又は、近似曲線）から±６ｄＢの範囲内に収まっていることを意味してもよいし、より好ましくは、上記空間区間における強度（エネルギー）が空間強度分布の近似直線（又は、近似曲線）から±３ｄＢの範囲内に収まっていることを意味してもよいし、更に好ましくは、上記空間区間における強度（エネルギー）が空間強度分布の近似直線（又は、近似曲線）から±Ｅ％（Ｅは、３０、２０、又は１０等）の範囲内に収まっていることを意味してもよい。
【００７１】
干渉器５２は、第１整形部２０から出力される第１光パルスと第２整形部７０から出力される第２光パルスとを干渉させる光結合器であり、例えば、光カプラなどである。
【００７２】
光検出器５４は、干渉器５２から出力された光パルスに対して、空間軸方向に分割された複数の分割空間のそれぞれでの強度を検出する光強度検出器であり、例えば、光を電気信号に変換する１６個の受光素子が空間軸（ここでは、Ｘ軸）方向に並べられ、各受光素子からの電気信号を出力する１６個の出力ポートを有するマルチフォトディテクタなどである。
【００７３】
次に、以上のように構成された本実施の形態における光量子化器５０の動作について説明する。
【００７４】
入力されたサンプリング用光パルスは、光カプラなどで分岐され、第１整形部６０を構成する強度変調器６２及び第２整形部７０を構成する第２空間整形器７２に入力される。なお、本実施の形態では、サンプリング用光パルスを構成する個々の光パルスは、図４の（ａ）に示されるように、Ｘ軸方向に山形の空間強度分布を有する。
【００７５】
強度変調器２２は、入力されたサンプリング用光パルスに対して、Ａ／Ｄ変換の入力となるアナログ信号で強度変調し、第１空間整形器６４に出力する。
【００７６】
第１空間整形器６４は、強度変調器６２から出力された光パルスに対して、空間強度分布の整形を施すことで、空間軸（ここでは、Ｘ軸）方向に強度が平坦な空間強度分布を有する光パルスに変換し、位相シフト器６６に出力する。
【００７７】
位相シフト器６６は、第１整形部６０から出力される第１光パルスと第２整形部７０から出力される第２光パルスとの位相差が所定の位相差（ここでは、１８０度）となるように、予め定められた位相だけ、第１空間整形器６４から出力された光パルスの位相をシフトさせ、第１光パルスとして、干渉器５２に出力する。
【００７８】
このような第１整形部６０での処理により、位相シフト器６６から出力される光パルス、つまり、第１整形部６０から出力される第１光パルスは、図４の（ｂ）に示される空間強度分布を有する。つまり、第１光パルスは、サンプリング用光パルスが有していた空間軸（ここでは、Ｘ軸）の範囲において、入力されたアナログ信号の強度に対応する高さの平坦領域を有する空間強度分布を有する。
【００７９】
一方、第２整形部７０では、第２空間整形器７２は、入力されたサンプリング用光パルスに対して、空間強度分布の整形をすることにより、空間軸（ここでは、Ｘ軸）方向に強度が単調増加又は単調減少する空間強度分布を有する光パルスに変換し、第２光パルスとして、干渉器５２に出力する。その結果、第２整形部７０から出力される第２光パルスは、例えば、図４の（ｃ）に示されるような空間強度分布を有する。つまり、第２光パルスは、サンプリング用光パルスが有していた空間軸（ここでは、Ｘ軸）の範囲において、Ａ／Ｄ変換の入力レンジにおける最大強度と最小強度とを接続する単調減少する直線状の強度となる空間強度分布を有する。
【００８０】
干渉器５２は、第１整形部２０から出力される第１光パルスと第２整形部７０から出力される第２光パルスとを干渉させ、光検出器５４に出力する。ここで、第１光パルスと第２光パルスとは、所定の位相差（ここでは、１８０度）が設けられているので、第１光パルスの強度と第２光パルスの強度とが同じになる空間軸（ここでは、Ｘ軸）上の位置において、干渉後の光パルスの強度が最小となる。よって、干渉器５２での干渉によって、図４の（ｂ）に示される空間強度分布を有する第１光パルスと、図４の（ｃ）に示される空間強度分布を有する第２光パルスとが合波され、図４の（ｄ）に示されるような凹型に湾曲した強度の空間強度分布を有する光パルスに変換され、光検出器５４に入力される。
【００８１】
光検出器５４は、干渉器５２から出力された光パルスに対して、空間軸（ここでは、Ｘ軸）方向に分割された複数の分割空間のそれぞれでの強度を検出する。図４の（ｅ）の強度分布特性は、光検出器５４から出力される光パルスの強度分布を示す。横軸は、空間軸における複数の分割空間の位置（つまり、光検出器５４の出力ポートの位置）を示し、縦軸は、分割空間ごとに出力される光パルスの強度を示す。光検出器５４に入力された、図４の（ｄ）の空間強度分布を有する光パルスは、分割空間ごとに強度が検出され、図４の（ｅ）の強度分布特性に示される強度分布で、光検出器５４の各出力ポートから出力される。
【００８２】
よって、光検出器５４の各出力ポートから出力される電気信号の大きさを比較する比較器などを用いて、強度が最も小さい光パルスが出力される出力ポート（つまり、分割空間）を特定することで、図４の（ｄ）に示される空間強度分布において最小値となる分割空間が特定される。特定された分割空間は、所定の位相差（ここでは、１８０度）をもつ第１光パルスの強度と第２光パルスの強度とが同じになる空間軸上の位置（分割空間）であることから、その位置に対応する第２光パルスの強度、つまり、第１光パルスの強度を特定でき、特定した第１光パルスの強度から、第１整形部における強度変調の特性を考慮することで、入力されたアナログ信号の強度を特定することができる。
【００８３】
つまり、光検出器５４によって複数の分割空間に分割された光パルスのうち、最も強度が小さい光パルスが出力される分割空間（つまり、出力ポート）がどれであるかという位置情報（例えば、１６個の分割空間（つまり、出力ポート）のうちの一つを示す４ビットのディジタル値）は、入力されたアナログ信号の強度に依存して決定されることになり、空間領域を利用したＡ／Ｄ変換が行われる。
【００８４】
以上の光量子化器５０における動作は、入力されたサンプリング用光パルスを構成する個々の光パルスごとに繰り返される。例えば、１００ＧＨｚで繰り返される。これにより、例えば、１００Ｇｓｐｓで４ビットの出力分解能をもつ光量子化器５０が実現される。
【００８５】
このように、本実施の形態における光量子化器５０は、大きな電力を必要とする非線形光学効果を用いることなく、小さな電力で実現できる線形現象（干渉）を用いている。また、光アクティブデバイス及び電子デバイスなどの電力を要するデバイスを用いることなく、光学フィルタなどの光学デバイスで構成される。よって、本実施の形態における光量子化器５０は、非線形光学効果を利用した従来の光量子化器や、複数の光アクティブデバイス又は電子デバイスを並列化して構成される従来の光量子化器に比べ、低消費電力で動作する。
【００８６】
なお、本実施の形態では、第１整形部６０は、強度変調器６２、第１空間整形器６４、及び、位相シフト器６６が、この順で直列に接続されて構成されたが、強度変調器６２、第１空間整形器６４、及び、位相シフト器６６の接続順序は、この順に限定されず、いかなる接続順であってもよい。例えば、第１整形部６０は、位相シフト器６６、第１空間整形器６４、及び、強度変調器６２が、この順で直列に接続されて構成されてもよい。
【００８７】
また、位相シフト器６６が第２整形部７０内に設けられる場合にも、第２整形部７０における位相シフト器６６と第２空間整形器７２とは、いずれが先（処理順で先）に接続されもよい。
【００８８】
また、本実施の形態では、第１整形部２０に、空間強度分布を平坦化する第１空間整形器６４が設けられたが、図５に示されるように、サンプリング用光パルスを構成する個々の光パルスが平坦な空間強度分布を有する場合には、第１空間整形器６４は不要となる。図５は、実施の形態２の変形例に係る光量子化器５１の構成を示すブロック図である。図４に示された光量子化器５０と同一の構成要素には、同一の符号が付されている。この変形例に係る光量子化器５１は、上記実施の形態２における光量子化器５０に比べ、第１整形部６０に第１空間整形器６４が設けられていない点だけが異なる。この光量子化器５１では、サンプリング用光パルスを構成する個々の光パルスは、図５の（ａ）に示されるように、空間軸方向に強度が平坦な空間強度分布を有する。よって、この変形例に係る光量子化器５１では、第１整形部６０に第１空間整形器６４が備えられていないが、上記実施の形態２と同様の空間強度分布を有する第１光パルスが生成され、光検出器５４からは上記実施の形態２と同様の信号が出力され、上記実施の形態２における光量子化器５０と同様の効果が奏される。
【００８９】
以上、本発明に係る光量子化器について、実施の形態１、２、及び、それらの変形例に基づいて説明したが、本発明は、これらの実施の形態及び変形例に限定されるものではない。本発明の趣旨を逸脱しない限り、当業者が思いつく各種変形を本実施の形態又は変形例に施したものや、異なる実施の形態及び変形例における構成要素を組み合わせて構築される形態も、本発明の範囲内に含まれる。
【００９０】
例えば、上記実施の形態１における波長分波器１４及び上記実施の形態２における光検出器５４の出力ポートのうち、強度が最小の信号を出力する出力ポートを選択する際に、隣接する２つの出力ポートから同じ強度の信号が出力されるケースがあり得るが、このようなケースでは、例えば、同じ強度の信号を出力する２つの出力ポートのうちの大きい方（波長帯又は空間位置の大きい方）を選択することにしておけばよい。
【００９１】
図６は、波長分波器１４及び光検出器５４の離散的出力特性を説明する図である。図６の（ａ）は、第１光パルス及び第２光パルスの強度分布（スペクトル及び空間強度分布）を示す図であり、図６の（ｂ）は、図１の（ｅ）又は図３の（ｅ）に相当する図（波長分波器１４又は光検出器５４の出力ポートにおける強度分布特性）である。
【００９２】
図６の（ａ）に示されるように、第１光パルスの強度分布と第２光パルスの強度分布とがクロスする箇所（クロスポイント）を含む一定の観測幅（波長帯又は分割空間）での出力強度（図６の（ａ）における面積）から、一定の観測幅にクロスポイントが含まれれば、その位置に依らず離散的な出力が得られる。その結果、図６の（ｂ）に示されるように、クロスポイントを含む観測幅での出力信号の強度は、極小値を示し、観測幅に含まれるクロスポイントの位置に依らず一定の値の出力となる。しかしながら、図６の（ａ）において、例えば、さらに入力のアナログ信号の強度が下がっていくと、つまり、第１光パルスの強度が下がっていくと、隣接する２つの観測位置での出力強度（図６の（ａ）における面積）が同じとなり得る。つまり、観測幅の境界上にクロスポイントが位置する場合には、そのクロスポイントの両側に位置する２つの観測幅での出力強度（図６の（ａ）における面積）は同一となる。このような時は、例えば、２つの出力ポートの大きい方を選択するとしておけばよい。これによって、隣接する２つの出力ポートから同じ強度の信号が出力されるケースであっても、一つの出力ポート（一つのディジタル値）が確実に特定される。
【００９３】
また、上記実施の形態１及び２では、第１光パルスと第２光パルスの位相差が１８０度に設定されたが、これに限られず、略１８０度であれがよく、例えば、１６０〜２００度の範囲内の位相差であってもよいし、１３５〜２２５度の範囲内の位相差であってもよい。この位相差は、１８０度に近いほど、第１光パルスと第２光パルスとの干渉によって弱め合う度合が強くなるので、波長分波器１４及び光検出器５４での位置情報の特定が容易となることから、求められる位置情報の精度に対応して、１８０度に近い位相差を決定すればよい。
【００９４】
また、上記実施の形態１及び２では、第２光パルスは、直線的に単調減少するスペクトル又は空間強度分布を有したが、単調増加又は単調減少する限り、いかなる形状のスペクトル又は空間強度分布を有してもよく、例えば、二次曲線等の曲線状に変化する形状であってもよい。このとき、第２光パルスのスペクトル又は空間強度分布の形状は、第１光パルスと第２光パルスとが干渉した後の光パルスのスペクトル又は空間強度分布における極小点がより鋭い下向きのピークとなるような形状が好ましい。
【産業上の利用可能性】
【００９５】
本発明は、光Ａ／Ｄ変換器のための光量子化器として、例えば、数十ＧＨｚを超える超広帯域なアナログ信号をＡ／Ｄ変換するのに用いられる光量子化器として、例えば、リモートセンシングにおけるレーダー、ライダー、電波望遠鏡、超広帯域光通信等のための超広帯域ＡＤ変換器として、利用できる。
【符号の説明】
【００９６】
１０、１１、５０、５１  光量子化器
１２、５２  干渉器
１４  波長分波器
２０、６０  第１整形部
２２、６２  強度変調器
２４  第１スペクトル整形器
２６、６６  位相シフト器
３０、７０  第２整形部
３２  第２スペクトル整形器
５４  光検出器
６４  第１空間整形器
７２  第２空間整形器
【図１】
2016140048.tif 000003
【図２】
2016140048.tif 000004
【図３】
2016140048.tif 000005
【図４】
2016140048.tif 000006
【図５】
2016140048.tif 000007
【図６】
2016140048.tif 000008
【国際調査報告】
2016140048.tif 000009
2016140048.tif 000010
2016140048.tif 000011
2016140048.tif 000012